(57)【要約】【課題】  静止動作時には勿論、素振り時やゴルフボールを実際に打つ場合でもシャフトの方向やゴルフボールに対するシャフトの傾き具合を正確に把握することができるゴルフスイング矯正補助具を得ること。【解決手段】  筒状本体２の一端部にレーザー光線Ｌをポイント放射するレーザー放射器３を設けると共に、他端部にゴルフクラブ４のシャフト５上部に設けられる握り部６の後端部に装着可能で、上記レーザー放射器３によるレーザー光線の放射方向をシャフト５の軸芯の後方への延長線上に定める装着手段７を設けた。【選択図】図１
0003132299.tif 000002
【実用新案登録請求の範囲】
【請求項１】
筒状本体２の一端部にレーザー光線Ｌをポイント放射するレーザー放射器３を設けると共に、他端部にゴルフクラブ４のシャフト５上部に設けられる握り部６の後端部に装着可能で、上記レーザー放射器３によるレーザー光線Ｌの放射方向をシャフト５の軸芯の後方への延長線上に定める装着手段７を設けたことを特徴とするゴルフスイング矯正補助具。
【考案の詳細な説明】
【技術分野】
【０００１】  本考案は、ゴルフシャフトに取り付けてゴルフスイングの矯正を行うためのゴルフスイング矯正補助具に関するものである。
【技術背景】
【０００２】  従来、ゴルフスイングのチェックを行う場合、理想的なスイング軌跡を通って最適なスイングができるように、例えばシャフトを振り上げたときのシャフトの方向やゴルフボールに対するシャフトの傾き具合、シャフトを振り降ろすときのシャフトの方向やゴルフボールに対するシャフトの傾き具合、シャフトを振り切った後のシャフトの方向やゴルフボール跡に対するシャフトの傾き具合などを確認するようにしている。
【考案の開示】
【考案が解決しようとする課題】
【０００３】  ところが、上記したゴルフスイングのチェックを本人自身が行う場合、顔や頭を動かしてシャフトの方向やゴルフボールに対するシャフトの傾きを確認する必要があるため、ゴルフボールから目が離れることになる。そのため、素振り時やゴルフボールを実際に打つ状態ではスイングしながらシャフトの方向やゴルフボールに対するシャフトの傾きを正確に把握することが非常に困難で確認しずらいものであった。つまり、部分的な静止動作上でしか正確に確認できず、ゴルフボールを実際に打つためにスイングする本人がシャフトの方向やゴルフボールに対するシャフトの傾きを正確に把握することはできないものであった。【０００４】  そこで、本考案は静止動作時には勿論、素振り時やゴルフボールを実際に打つ場合でもシャフトの方向やゴルフボールに対するシャフトの傾き具合を正確に把握することができるゴルフスイング矯正補助具の提供を課題とする。
【課題を解決するための手段】
【０００５】  上記した問題を解決するために、本願の請求項１に記載の考案は、筒状本体２の一端部にレーザー光線Ｌをポイント放射するレーザー放射器３を設けると共に、他端部にゴルフクラブ４のシャフト５上部に設けられる握り部６の後端部に装着可能で、上記レーザー放射器３によるレーザー光線Ｌの放射方向をシャフト５の軸芯の後方への延長線上に定める装着手段７を設けたことを特徴とする。
【考案の効果】
【０００６】  本考案によれば、ゴルフクラブ４のシャフト５における握り部６の後端にゴルフスイング矯正補助具１をその装着手段７を介して装着し、レーザー放射器３からレーザー光線Ｌをシャフト５の軸芯の後方への延長線上に赤くポイント放射することができる。これにより、レーザー放射器３から例えば芝などに赤くポイント放射されたレーザー光線Ｌの位置を、目視により確認することによりゴルフクラブ４のシャフト５の傾きを容易に確認して理想的なスイング軌跡を通るようにスイングすることができる。つまり、理想的なスイング軌跡を通ってスイングできるように、シャフト５を振り上げる際のポイント位置でのシャフト５の方向やゴルフボール９に対する傾き具合７、シャフト５を振り降ろす際のポイント位置でのシャフト５の方向やゴルフボール９に対するシャフト５の傾き具合、シャフト５を振り切る際のポイント位置でのシャフト５の方向やゴルフボール９跡に対するシャフト５の傾き具合をスイングする本人自身が目視により容易に確認することが可能となる。したがって、静止動作時には勿論、素振り時やゴルフボールを実際に打つ場合でもシャフトの方向やゴルフボールに対するシャフトの傾き具合を正確に把握することができ、理想的なスイング軌跡を通ったスイングであるかどうかのチェックを簡単容易に行うことができる。
【考案を実施するための最良の形態】
【０００７】  以下、本考案の実施の形態を図面に基づいて説明する。【０００８】  図１は、本考案に係るゴルフスイング矯正補助具を示し、該矯正補助具１は、筒状本体２の一端部にレーザー光線Ｌをポイント放射するレーザー放射器３を設けると共に、他端部にゴルフクラブ４のシャフト５上部に設けられる握り部６の後端部に装着可能で、上記レーザー放射器３によるレーザー光線Ｌの放射方向をシャフト５の軸芯の後方への延長線上に定める装着手段７を設けたものである。【０００９】  装着手段７は、筒状本体２の一端部外周から一体的に突出形成されて握り部６の後端部外周に嵌め込み可能な嵌合筒部７１と、筒状本体２の一端部中央から一体的に突出形成されて握り部６の上端中央に形成された孔６ａ（エアー抜き兼マーカー差し込み孔）に差し込み可能な中央突起部７２とから形成している。斯かる構造の装着手段７によれば既存のゴルフクラブ４の握り部６に差し込むだけのワンタッチ作業で取り付けることができる。なお、中央突起部７２をエアー抜き兼マーカー差し込み孔とは別の大きさ及び形状に形成してもよく、その場合、握り部６の孔６ａをその中央突起部７２の大きさ及び形状に合わせて形成すればよい。【００１０】  図１において符号３ａはレーザー放射器３のオン・オフスイッチであり、また符号８はクラブヘッド、９はゴルフボール、１０はゴルフティーである。【００１１】  なお、装着手段７としては、上記した筒状本体２の一端部に嵌合筒部７１と中央突起部７２とを一体形成した構造のものに何ら限定されるものではなく、例えば、筒状本体２の一端部に雄ネジ（図示せず）を設ける一方、握り部６の後端部に雌ネジ（図示せず）を設けるなどの構造であってもよい。【００１２】  次に以上のように構成したゴルフスイング矯正補助具１の作用について説明する。【００１３】  まず、ゴルフスイング矯正補助具１の使用に際しては、ゴルフクラブ４のシャフト５における握り部６の後端にゴルフスイング矯正補助具１をその嵌合筒部７１と中央突起部７２とを介して装着する。そして、レーザー放射器３のスイッチ３ａをオン操作することによりレーザー放射器３からレーザー光線Ｌをシャフト５の軸芯の後方への延長線上にポイント放射することができる。これにより、レーザー放射器３から芝又は地面又は床などの上に赤くポイント放射されたレーザー光線Ｌの位置を目視により確認することによりゴルフクラブ４のシャフト５の傾きをスイングする本人自身で容易に確認することが可能となる。【００１４】  次に、ゴルフクラブ４のヘッドをゴルフボール９に位置合わせしたスイング開始位置（図示せず）から、バックスイングして後上方に振り上げる。そのとき振り上げ途中において図２及び図３に示すようにレーザー放射器３からポイント放射されたレーザー光線Ｌが、ゴルフボール９の後方に引いた延長線Ｘ（この延長線Ｘは頭の中で描いた空想線であってもよいし、実際にゴルフクラブなどを延長線として置いてもよい。）上を赤く照らすと共に、その延長線Ｘ上を通って移動するようにシャフト５の引き上げ角度を意識しながら振り上げる。これにより簡単容易に理想的なバックスイング軌跡を描いてバックスイング終了位置にシャフト５を振り上げることが��きる。【００１５】  その後、バックスイング終了位置からダウンスイングレてゴルフボール８を打ち込む。そのときダウンスイング途中において図４及び図５に示すようにレーザー光線Ｌが、ゴルフボール８の後方に引いた延長線Ｘ上を赤く照らすと共に、その延長線Ｘ上を通って移動するようにシャフト５の振り降ろし角度を意識しながら打ち込む。これにより、簡単容易に理想的なダウンスイング軌跡を描いてゴルフボール９を殴打する殴打位置にシャフト５を振り降ろすことができる。【００１６】  然る後、打ち込み位置からフォロー終了位置まで振り切る。そのとき図６及び図７に示すようにシャフト５を振り切って手首を返したフォロー動作の途中において、レーザー光線Ｌがゴルフティ１０の前方に引いた延長線Ｘ上でゴルフティ１０の位置のやや前方位置を赤く照らすように意識しながらフォロー終了位置まで振り切る。これにより、簡単容易に理想的なフォロー軌跡を描いてフォロー終了位置までシャフト５を振り切ることができる。【００１７】  以上のように、ゴルフクラブ４のシャフト５における握り部６の後端にゴルフスイング矯正補助具１をその装着手段７を介して装着し、レーザー放射器３からレーザー光線Ｌをシャフト５の軸芯の後方への延長線上に赤くポイント放射することができる。これにより、レーザー放射器３から例えば芝などに赤くポイント放射されたレーザー光線Ｌの位置を、目視により確認することによりゴルフクラブ４のシャフト５の傾きを容易に確認して理想的なスイング軌跡を通るようにスイングすることができる。つまり、理想的なスイング軌跡を通ってスイングできるようにシャフト５を振り上げる際の上記したポイント位置でのシャフト５の方向やゴルフボール９に対する傾き具合や、シャフト５を振り降ろす際の上記したポイント位置でのシャフト５の方向やゴルフボール９に対するシャフト５の傾き具合、シャフト５を振り切る際の上記したポイント位置でのシャフト５の方向やゴルフボール９跡に対するシャフト５の傾き具合などを目視により容易に確認することができる。これにより、静止動作時には勿論、素振り時やゴルフボール９を実際に打つ場合でもシャフト５の方向やゴルフボール９に対するシャフト５の傾きを正確に把握することができ、理想的なスイング軌跡を通ったスイングであるかどうかのチェックを簡単容易に行うことができる。
【図面の簡単な説明】
【００１８】
【図１】  本考案に係るゴルフスイング矯正補助具の一部縦断正面図である。
【図２】  バックスイング時の正面から見た説明図である。
【図３】  同側面から見た説明図である。
【図４】  ダウンスイング時の正面から見た説明図である。
【図５】  同側面から見た説明図である。
【図６】  フォロー時の正面から見た説明図である。
【図７】  同側面から見た説明図である。
【符号の説明】
【００１９】１          ゴルフスイング矯正補助具
２          筒状本体
３          レーザー放射器
４          ゴルフクラブ
５          シャフト
６          握り部
７          装着手段
Ｌ          レーザー光線
【図１】
0003132299.tif 000003
【図２】
0003132299.tif 000004
【図３】
0003132299.tif 000005
【図４】
0003132299.tif 000006
【図５】
0003132299.tif 000007
【図６】
0003132299.tif 000008
【図７】
0003132299.tif 000009